(57)【要約】  【課題】たるんだワイヤ３１が鍔部２５ｃを乗り越えてドラム２５から外れたり、モータ２４のシャフト２４ｂなどに絡んで昇降動作不良が発生することを抑制する。  【解決手段】モータ２４とドラム２５の間には、規制体としての取付板２３を取り付ける。取付板２３は断面略Ｌ字形に形成されドラム２５の顎部の周の外側となる部分には凸部２３ａが３つドラムに向かうように設けられている。  このように構成することによって、鍔部２５ｃの外周縁に飛び出したワイヤ３１があっても凸部２３ａによって取付板２３とドラム２５の間に挿入することを低減することができる。さらに凸部２３ａによってたるんで飛び出そうとするワイヤ３１をドラム２５の顎部２５ｃより中側に押し込もうとするためワイヤ３１がドラム２５の外側に飛ぶ出すこと自体を減らすことができる。  【選択図】図３
2005075615.tif 000002
【特許請求の範囲】
【請求項１】
昇降装置本体と；
昇降装置本体内部に収納され、軸方向両端にこの軸方向に対して垂直に設けられた円板状の鍔部を有するドラム；
ドラムを正逆に回転させるためのモータと；
ドラムとモータの間に配置され、ドラムの軸方向に対して垂直に位置しドラムの鍔部の円周の外側にドラム側に向かって形成される凸部を有する規制体と；
巻取りドラムによって巻装さるワイヤと；
ワイヤによって吊り下げられ巻き取りドラムの回転によって昇降される昇降部と；
を具備していることを特徴とする昇降装置。
【発明の詳細な説明】
【技術分野】
【０００１】
本発明は、高天井に設置される昇降装置に関する。
【背景技術】
【０００２】
体育館や工場などの天井の高い建物には、ランプの交換や器具の清掃などのメンテナンスを容易にするため、照明装置に電動機を設け灯具の昇降を行う昇降装置が用いられている。
【０００３】
昇降装置は、天井などに昇降装置本体を設置し、この昇降装置本体内に電動機およびこの電動機の正逆回転駆動によってワイヤを巻取繰出するドラムを配設し、このドラムから繰出されたワイヤの先端に電気機器を備えた昇降部を連結している。
【０００４】
そうして昇降部の下降時において、昇降部が床面等に到達してドラムから繰出されるワイヤにたるみが生じたことを検知することにより、電動機を自動停止させるたるみ検知手段がある。しかしながら、この状態では、ワイヤがドラムの鍔部より外側に出た状態にたるみが生じることがある。
【０００５】
この状態から、昇降部の上昇のためにドラムが巻取方向に回動されると、ワイヤが鍔部に引っ掛かって乗り上げて、ドラムから外れたり、電動機にワイヤが絡み付く場合があり、電動機が動作しなくなったり、ワイヤが切断され昇降部が落下する虞があった。
【０００６】
このため、特許文献１には、ドラムの軸方向に対して垂直に位置しドラムの鍔部の円周方向の円周の一部が間隙を介して挿入される開口部を有する規制体とを具備した昇降装置が開示されている。
【０００７】
そうしてこの昇降装置は、ドラムの鍔部の下端が取付板の切抜き部に、鍔部の外周縁と切抜き部の縁との距離がワイヤの太さより幅狭となる位置に挿入されているので、たるんだワイヤが巻取部に規制案内され、鍔部を乗り越えてドラムから外れたり、電動機の駆動軸などに絡んで昇降動作不良が発生することを防止するものである。
【特許文献１】特許２６６１６５５号公報
【発明の開示】
【発明が解決しようとする課題】
【０００８】
しかしながら、この昇降装置では、例えばたるみ検知手段が正常に動作しなかったような場合、たるんだワイヤが大きくなってしまいたるんだワイヤがドラムの顎部を越え、更に規制体を乗り越えてしまい、電動機のシャフト部分に絡まってワイヤが断線するなどの虞があった。
【０００９】
そこで、本発明はワイヤのたるんだ部分が大きくなってもワイヤがドラムの顎部を越えてシャフトに絡まることを低減させた昇降装置を提供するものである。
【課題を解決するための手段】
【００１０】
請求項１の発明の昇降装置は、昇降装置本体と；昇降装置本体内部に収納され、軸方向両端にこの軸方向に対して垂直に設けられた円板状の鍔部を有するドラムと；ドラムを正逆に回転させるためのモータと；ドラムとモータの間に配置され、ドラムの軸方向に対して垂直に位置しドラムの鍔部の円周の外側にドラム側に向かって形成される凸部を有する規制体と；巻取りドラムによって巻装さるワイヤと；ワイヤによって吊り下げられ巻き取りドラムの回転によって昇降される昇降部と；を具備している。
【００１１】
本発明および以下の発明において、特に指定しない限り、用語の定義および技術的な意味は次による。
【００１２】
昇降装置本体は天井などに固定されており、モータ、ドラム等を備えており電動機によりドラムを回転させワイヤの巻き上げ、巻き降しにより昇降部を昇降させる機能を備えている。また、点灯装置などを昇降装置本体側に収納することもできる。
【００１３】
ワイヤは、昇降部を吊持することができればよく、索条、線状、ベルト状などの形状を許容する。
【００１４】
規制体は、ドラムとモータの間に設けられ、ドラムの顎部よりも大きな板状の規制板に、ドラムの顎部の周囲に凸部を複数設けている。ワイヤはたるんだときには重力によってドラムの下側にたるむため凸部は主にドラムの下側に設けることが好ましい。さらに、凸部の高さは少なくともドラムの顎部の厚みの半分以上の高さがあることが好ましく、また、この凸部にワイヤが絡まない用に凸部は角などがないようにすることが好ましい。
【００１５】
さらに、ドラムの周囲を覆うように規制体を構成してもよく、規制体のたわりに器具本体の内壁を利用しても構わない。このように構成することによってドラムの周囲からワイヤが飛び出すことがなくなり、ワイヤがモータのシャフトなどに絡まる可能性がさらに減少する。
【発明の効果】
【００１６】
本発明によれば、弛んだワイヤが鍔部を乗り越えてドラムから外れたり、モータのシャフなどに絡んで昇降動作不良が発生する、ワイヤがモータのシャフトに絡まってワイヤが断線してしまい昇降部が落下してしまうことを抑制する。
【発明を実施するための最良の形態】
【００１７】
以下、図１〜図３を参照して本発明の実施の形態を説明する。図１は、昇降装置の断面図であり、図中２１は四角箱状の装置本体であり、これにはコの字状の設置用ステー２２が装置本体２１を跨ぐように連結されている。この設置用ステー２２を介して装置本体２１は、例えば体育館の天井側高所に設けた図示しない昇降装置設置部材に連結される。
【００１８】
装置本体２１内には減速機ボックス２４ａ付きの正逆回転が可能であるモータ２４が配置され、このモータ２４により正転および逆転されるドラム２５とが備えられている。ドラム２４は、モータ２４のシャフト２４ｂが嵌合できる嵌合孔２５ａの我執面にワイヤを巻取るドラム部２５ｂとドラム部２５ｂの軸方向両端にこの軸方向に対して略垂直に設けられた円盤上の顎部２５ｃとから構成されている。
【００１９】
また、モータ２４とドラム２５の間には、規制体としての取付板２３が取り付けられる、取付板２３は断面略Ｌ字形に形成され一面にはモータ２４のシャフト２４ｂが挿通可能な挿通口２３ｂを略中央に有しており、その周辺のドラム２５の顎部の周の外側となる部分には凸部２３ａが３つドラムに向かうように設けられている。また、他面には、昇降装置本体２１と固定可能なネジ穴２３ｃが形成されている。
【００２０】
このとき取付板は、ドラムの顎部２５ｃよりも大きく構成され、昇降装置本体２１の内面と沿うような形状にし、昇降装置本体２１の内部と取付板２３の隙間を少なくすることが、ワイヤがたるんだときに取付板を超えてモータ２４のシャフト２４ｂなどに絡まる虞がなくなり好適である。
【００２１】
装置本体２１内のドラム２５と対向する側には第１滑車２６が水平な姿勢で取付けられている。ドラム２５と第１滑車２６との間、例えば装置本体２１の中央部に位置してこの本体２１の下面開口に対向する昇降体ホルダ２７が配置されている。このホルダ２７は、昇降体を振れ止めするガイド壁２７ａを四隅に有しており、ガイド壁２７ａの間には、夫々ロック爪２８が取付けられている。これらロック爪２８は図示しないばねで付勢されているとともに、所定角度範囲を上下方向に回動可能に設けられている。
【００２２】
昇降体ホルダ２７の外側に位置して装置本体２１の中央部には第２滑車２９が配置されている。この滑車２９は装置本体２１に固定された滑車ホルダ３０に立てて取付けられている。第２滑車２９の高さ位置は、その溝の上端が第１滑車２６の溝の高さと略一致する高さに設定されている。
【００２３】
第２滑車２９を経由したワイヤ３１の繰り出し部分は昇降体３２を吊持している。この吊持は、昇降体３２内の同じ高さ位置に内蔵された一対の図示しないガイドローラを経由して実現したものであり、昇降体３２から引き出されたワイヤ３１の先端部３１ａは装置本体２１に固定されるようになっている。
【００２４】
昇降体３２は、その下側に被昇降物例えば照明器具３３を連結して支持するものであり、このため昇降体３２の下面部には照明器具３３との電気的接続をなすための器具用端子（図示しない）が複数設けられているとともに、上面にも図示しない受電端子が複数設けられている。
【００２５】
装置本体２１内には第１滑車２６と第２滑車２９との間に位置して弛み検知手段としての弛み検知装置３５が配置されている。弛み検知装置３５は、ベース３６およびマイクロスイッチ３７から構成されワイヤ３１が弛んでワイヤ３１の張力が消失すると、マイクロスイッチ３７が動作する。マイクロスイッチ３７が動作するとモータが停止するような構成となっている。すなわち、以上のような弛み検知装置３５での弛み検知により、照明器具３３が床面に到達した直後に駆動部２３のモータ２４の動作を自動的に停止させることができる。
【００２６】
次に、上記実施例の動作について説明する。
まず、昇降体３２の下降時においては、モータ２４の駆動により、ドラム２５がワイヤ３１の引き出し方向に回転され、ドラム２５からワイヤ３１が繰出されて昇降体３２が下降する。
そして、昇降体３２あるいは昇降体３２に接続された照明器具３３が床面などに降りたり、下降途中に昇降体３２あるいは照明器具３３が障害物などの上に載ったり引っ掛かりして、ワイヤ３１にたるみが生じると、弛み検知装置３５が検知してモータ２４の駆動を停止する。
【００２７】
一方、この下降状態から昇降体３２を上昇させるには、モータ２４の逆回転駆動によりドラム２５にワイヤ３１が巻き取られるので、昇降体３２が上昇し、位置検知手段により照明器具３３が定位置に達したことが検知されると、モータ２４の駆動が停止される。
【００２８】
ところが、弛み検知装置３５に不具合が生じ昇降体３２あるいは照明器具３３が床面などに到達してドラム２５から繰出されるワイヤ３１にたるみが生じても、弛みを検知することができずにモータを停止させることができなくなり、ワイヤ３１がドラム２５の顎部２５ｃより外側に出ようとする状態を生じることがある。
【００２９】
しかし、本実施例では、ドラム２５の鍔部２５ｃの下端に凸部２３ａが一定間隔で設けられているので、鍔部２５ｃの外周縁に飛び出したワイヤ３１があっても凸部２３ａによって取付板２３とドラム２５の間に挿入することを低減することができる。さらに凸部２３ａによってたるんで飛び出そうとするワイヤ３１をドラム２５の顎部２５ｃより中側に押し込もうとするためワイヤ３１がドラムの外側に飛ぶ出すこと自体を減らすことができる。このため、たるんだワイヤ３１が規制案内され、鍔部２５ｃを乗り越えてドラム２５から外れたり、モータ２４のシャフト２４ｂなどに絡んで昇降動作不良が発生することを防止できる。
【００３０】
また、モータ２４にドラム２５および取付板２３を取り付けるのに、凸部２３ａを取付板２３に設けて、鍔部17の周囲に凸部を沿わせて取り付けるので、位置決めが容易で取付作業性あるいは保守点検性が向上できる。
【図面の簡単な説明】
【００３１】
【図１】本発明の昇降装置の断面図である。
【図２】同上、ドラムと取付板の側面図である。
【図３】同上のドラムと取付板及びモータの取付状態を示す斜視図である。
【符号の説明】
【００３２】
２１・・・昇降装置本体  ２４・・・モータ  ２３・・・取付板  ２３ａ・・・凸部  ２５・・・ドラム  ２５ｃ・・・顎部
【図１】
2005075615.tif 000003
【図２】
2005075615.tif 000004
【図３】
2005075615.tif 000005